(57)【特許請求の範囲】
【請求項１】
券を挿入すると保証金を返金する券回収機において、
券の回収だけを行う券回収モードに切り替えるモード切替手段を備え、
モード切替手段により券回収モードに切り替えられたときは、券が挿入されても保証金を返金しないで、券を回収することを特徴とする券回収機。
【請求項２】
券を挿入すると保証金を返金する券回収機において、
連続して挿入される券の制限枚数を記憶する枚数記憶手段と、
挿入された券の枚数を数える計数手段と、
計数手段による計数枚数をゼロクリアするリセット手段と
を備え、
券挿入枚数が制限枚数を超えたときは挿入枚数分の保証金を返金し計数手段の計数枚数をゼロクリアすることを特徴とする券回収機。
【請求項３】
券を挿入すると保証金を返金する券回収機において、
挿入された券の枚数を数える計数手段と、
制限時間を記憶する時間記憶手段と、
時間を計時する計時手段と、
計時手段による計時時間をゼロクリアするリセット手段と
を備え、
券が挿入され次の券が挿入されるまでの時間間隔が制限時間を超えたときは挿入枚数分の保証金を返金し計時手段の計時時間をゼロクリアすることを特徴とする券回収機。
【請求項４】
券を挿入すると保証金を返金する券回収機において、
券挿入があっても返金しないことを指示する複数枚回収指示手段と、
券挿入があったとき返金することを指示する中止手段と、
挿入された券の枚数を数える計数手段と
を備え、
複数枚回収指示手段による指示があったとき、それ以降は券挿入があっても返金しないで、中止手段による指示があったとき、複数枚回収指示手段による指示があった時から中止手段による指示があった時までの挿入枚数分の保証金を返金し計数手段の計数枚数をゼロクリアすることを特徴とする券回収機。
【請求項５】
請求項４記載の券回収機において、複数枚回収指示手段と中止手段とは、１個のスイッチであり、スイッチを押すたびに、複数枚回収指示手段と中止手段の機能が順次切り替わることを特徴とする券回収機。
【発明の詳細な説明】
【０００１】
【発明の属する技術分野】
この発明は、スキーリフト券などの保証金を支払う券に対して保証金を返金する券回収機に関する。
【０００２】
【従来の技術】
従来、例えばＩＣカードによるスキーリフト券などでは、券購入時にカード損傷や紛失に対する保証金を支払ってリフト券を買い、使用後に券回収機へカードを挿入すると、カードが回収され保証金が払い戻される。
図６はこのような券回収機の動作を示すフローチャートである。券回収機にリフト券が挿入されると（ステップＳ１，分岐Ｙ）、回収可能な券かどうかが判断される（ステップＳ２）。不可なら（分岐Ｎ）所定の処理（ＮＧ処理）が行われ（ステップＳ７）、可能なら（分岐Ｙ）紙幣などで保証金が払い出され（ステップＳ３）、リフト券取込み処理を開始し（ステップＳ４）、券取込みと紙幣抜取り処理の完了を確認後（ステップＳ５，Ｓ６）終了する。すなわち、券回収機に券が挿入されるたびに保証金を払い出している。
【０００３】
【発明が解決しようとする課題】
従来の券回収機には次の問題がある。
券回収機は、券が１枚挿入されるたびに１回保証金を払い出す。
このため、団体客など複数の利用者が連続して券回収機を使うときにも、一人一人券を挿入し保証金を受け取ることになるので面倒で時間がかかった。
【０００４】
また、団体客へ返金するときは、係員が客のカードをまとめて回収し、保証金もまとめて手渡しで返金することが多い。一方、ＩＣカードなどでは、販売データを集計処理するために、券回収機にカードデータを読み込ませる必要がある。そこで、手渡し返金済みのカードも係員が１枚ずつ券回収機に挿入するので、そのたびに保証金が払い出され回収に手間がかかった。
【０００５】
この発明の課題は、券回収機を複数の利用者が連続して使うとき、利用者や係員に手間がかからないようにすることである。
【０００６】
【課題を解決するための手段】
発明１による券回収機は、券を挿入すると保証金を返金する券回収機において、券の回収だけを行う券回収モードに切り替えるモード切替手段を備え、モード切替手段により券回収モードに切り替えられたときは、券が挿入されても保証金を返金しないで、券を回収する。
【０００７】
これにより、券を挿入するたびに、券は回収されるが保証金は払い出されないので、手渡し返金済みの券を回収する際、係員に手間がかからない。
発明２による券回収機は、券を挿入すると保証金を返金する券回収機において、連続して挿入される券の制限枚数を記憶する枚数記憶手段と、挿入された券の枚数を数える計数手段と、計数手段による計数枚数をゼロクリアするリセット手段とを備え、券挿入枚数が制限枚数を超えたときは挿入枚数分の保証金を返金し計数手段の計数枚数をゼロクリアする。
【０００８】
これにより、制限枚数分の保証金がまとめて払い出されるので、団体客の利用時など複数の利用者が連続して使うとき、利用者と係員に手間がかからない。
発明３による券回収機は、券を挿入すると保証金を返金する券回収機において、挿入された券の枚数を数える計数手段と、制限時間を記憶する時間記憶手段と、時間を計時する計時手段と、計時手段による計時時間をゼロクリアするリセット手段とを備え、券が挿入され次の券が挿入されるまでの時間間隔が制限時間を超えたときは挿入枚数分の保証金を返金し計時手段の計時時間をゼロクリアする。
【０００９】
これにより、例えば、団体客のような複数の利用者の次に個人利用者が券を挿入しても、その挿入間隔を係員が制限時間以上とるようにすれば、あらかじめ総人数が分かっていない団体利用の際にも、所定の保証金がまとめて払い出される。したがって、人数の分からない団体客の利用時にも、利用者と係員に手間がかからない。
【００１０】
発明４による券回収機は、券を挿入すると保証金を返金する券回収機において、券挿入があっても返金しないことを指示する複数枚回収指示手段と、券挿入があったとき返金することを指示する中止手段と、挿入された券の枚数を数える計数手段とを備え、複数枚回収指示手段による指示があったとき、それ以降は券挿入があっても返金しないで、中止手段による指示があったとき、複数枚回収指示手段による指示があった時から中止手段による指示があった時までの挿入枚数分の保証金を返金し計数手段の計数枚数をゼロクリアする。
【００１１】
これにより、係員が複数枚回収指示手段と中止手段とを操作することにより、複数利用客に対して確実に保証金が払い出せ、利用者と係員に手間がかからない。
発明５による券回収機は、発明４の券回収機において、複数枚回収指示手段と中止手段とは、１個のスイッチであり、スイッチを押すたびに、複数枚回収指示手段と中止手段の機能が順次切り替わる。
【００１２】
これにより、複数枚回収指示手段と中止手段との操作が簡単に行われる。
【００１３】
【発明の実施の形態】
図１は、この発明の一実施の形態を示す構成ブロック図である。
以下は、スキーリフト券の券回収機を例にして説明するが、券を挿入すると保証金を払い出すような券回収機についても同様である。
１はＩＣカードなどのリフト券、２はリフト券を回収し保証金を返金するとともに、リフト券１のデータを読み出し記憶するリフト券回収機である。
【００１４】
リフト券回収機２は次の機器で構成される。すなわち、リフト券１が挿入されると無線によりリフト券のデータを読み込むリードライト部２０、リフト券のデータなどを記憶するメモリ部２１、保証金を紙幣などで返金する貨幣払出部２２、計時用の時計制御部２３、およびリフト券回収機２全体を制御する主制御部２４である。
【００１５】
図２から図５までは、各発明の要部動作を示すフローチャートである。図１を参照しながら動作を説明する。
（１）発明１について
図２は発明１の動作を示すフローチャートである。
この発明は、従来の券回収機の動作を示すフローチャート（図６）のステップＳ３とＳ６を除いたものである。すなわち、リフト券回収機２にリフト券が挿入され（ステップＳ１）回収可能なとき（ステップＳ２，分岐Ｙ）、従来と違い紙幣を払い出さないで、リフト券取込み処理を開始し（ステップＳ４）、取込み処理完了を確認したら（ステップＳ５）一連の動作を終了し、次のリフト券挿入を待機する。
【００１６】
以上の動作により、手渡しで返金済みのリフト券をリフト券回収機２に挿入しても、券挿入のたびに保証金が払い出されないので係員の手間がかからない。以上の動作と、リフト券挿入１枚ごとに保証金を返金する従来の動作とを切り替えるスイッチを設け、リフト券をまとめて回収するときに、係員が切り替えるようにもできる。
【００１７】
（２）発明２について
図３は発明２の動作を示すフローチャートである。
この発明は、リフト券が１枚挿入されるたびに保証金を返金するのではなく、まずリフト券を回収していき、挿入枚数が所定枚数になったときまとめて払い出すものである。
【００１８】
そこで、従来の動作を示すフローチャート（図６）に対して、ステップＳ８からステップＳ１２までのステップを追加する。また、あらかじめメモリ部２１には、連続回収するリフト券の制限枚数を記憶させておく。
リフト券回収機２にリフト券が挿入され（ステップＳ１，分岐Ｙ）回収可能なとき（ステップＳ２，分岐Ｙ）、回収枚数カウンタを１枚加算し（ステップＳ８）、加算した枚数が制限枚数に達したかどうかを判断する（ステップＳ９）。
【００１９】
達していなければ（分岐Ｎ）挿入されたリフト券の取込み処理を開始し（ステップＳ１０）、取込み処理完了を確認後（ステップＳ１１，分岐Ｙ）、ステップＳ１へ戻り、次のリフト券挿入を待機する。
制限枚数に達したら（ステップＳ９，分岐Ｙ）、所定の紙幣を払い出し（ステップＳ３）、リフト券を取り込み（ステップＳ４，Ｓ５）、回収枚数カウンタをリセットして（ステップＳ１２）、紙幣抜取りを確認後（ステップＳ６）、一連の動作を終了する。
【００２０】
以上の動作により、複数枚数のリフト券を連続して回収でき、所定の保証金をまとめて払い出せるので、団体の利用者などの返金に手間がかからない。
（３）発明３について
図４は発明３の動作を示すフローチャートである。
この発明は、リフト券挿入の時間間隔が所定の制限時間を超えたとき、まとめて保証金を払い出すものである。
【００２１】
そこで、従来の動作を示すフローチャート（図６）に対して、ステップＳ１３，Ｓ１４，Ｓ１５を追加する。また、あらかじめメモリ部２１に、保証金払出し動作開始までの制限時間を記憶させておく。
リフト券回収機２にリフト券が挿入され（ステップＳ１，分岐Ｙ）回収可能なとき（ステップＳ２，分岐Ｙ）、払出し処理をしないでリフト券取込み処理を開始し（ステップＳ４）、取込み処理完了を確認後（ステップＳ５）、時計制御部２３により計時を開始する（ステップＳ１３）。次に、リフト券が挿入されたかどうかを判断し（ステップＳ１４）、挿入されれば（分岐Ｙ）ステップＳ２へ戻る。リフト券の挿入がなく（分岐Ｎ）制限時間に達していなければ（ステップＳ１５，分岐Ｎ）ステップＳ１４へ戻りリフト券の挿入を待機し、制限時間に達したら（分岐Ｙ）所定の紙幣を払い出し（ステップＳ３）、紙幣抜取りを確認後（ステップＳ６）、一連の動作を終了する。
【００２２】
以上の動作により、リフト券を挿入する時間間隔が制限時間より長いとき保証金返金を開始する。そこで、例えば、人数が確定されていない団体利用者がリフト券を挿入するような場合、制限時間以内で次々とリフト券を挿入し、最後の利用者が挿入し終わったとき所定の時間間隔をとれば、次の利用者が挿入する前に、まとめて保証金の払出しができる。したがって、団体と個人の利用者が混ざっていても、それぞれ区別してリフト券の回収と保証金の払出しができるので、利用者と係員の手間がかからない。
（４）発明４，５について
図５は発明４と発明５の動作を示すフローチャートである。
【００２３】
この発明は、保証金返金をまとめて払い出す時期を調整するものである。
そこで、従来の動作を示すフローチャート（図６）に対して、ステップＳ１６，Ｓ１７，およびＳ３０，Ｓ４０，Ｓ５０，Ｓ６０を追加する。また、この発明では、リフト券回収機２に複数枚回収ボタンと終了ボタン（図示していない）とを設け、このボタンが押されるとそれぞれの入力信号が主制御部２４に伝送される。
【００２４】
まず、回収可能なリフト券が挿入されると、主制御部２４は、複数枚回収ボタンの信号入力があるかどうかを判断する（ステップＳ１６）。入力がない、つまり複数枚回収ボタンが押されていないときは、従来の動作と同様に、リフト券が挿入されるたびに保証金を返金する（ステップＳ３からＳ６まで）。
複数枚回収ボタンが押され、主制御部２４が入力信号を検知したときは（ステップＳ１６，分岐Ｙ）、保証金払出しを行わないでリフト券の取込み処理を開始する（ステップＳ４０）。取込み終了後（ステップＳ５０）終了ボタンからの信号があるかどうかを判断し（ステップＳ１７）、なければ（分岐Ｎ）ステップＳ１へ戻り次のリフト券の回収動作に戻り、あれば（分岐Ｙ）所定の保証金をまとめて払い出し（ステップＳ３０）紙幣抜取りを確認して（ステップＳ６０）終了する。
【００２５】
以上の動作により、複数枚回収ボタンと終了ボタンとにより、複数のリフト券が確実に回収でき、利用者と係員の手間がかからない。
なお、複数回収ボタンと終了ボタンとは同じボタンとし、１回押すたびに複数回収ボタンと終了ボタンの機能とが順番に切り替わるようにもできる。
【００２６】
【発明の効果】
この発明によれば、券回収機に券が挿入された場合、１枚ごとに保証金を返金するのではなく、払出しなしに券回収だけとしたり、券挿入枚数が所定制限数を超えたとき、または券挿入の時間間隔が所定時間を超えたときまとめて保証金を払い出したり、複数回収ボタンと終了ボタンとによりまとめて払い出す券枚数を決めたり、あるいは複数回収ボタンと終了ボタンとを同じボタンにして機能を切り替えるようにしたりしているので、券回収機を複数の利用者が連続して使うとき、利用者と係員に手間がかからない。
【図面の簡単な説明】
【図１】この発明の一実施の形態を示す構成ブロック図
【図２】発明１の動作を示すフローチャート
【図３】発明２の動作を示すフローチャート
【図４】発明３の動作を示すフローチャート
【図５】発明４，５の動作を示すフローチャート
【図６】従来の券回収機の動作を示すフローチャート
【符号の説明】
１…リフト券、２…リフト券回収機、２０…リードライト部、２１…メモリ部、２２…貨幣払出部、２３…時計制御部、２４…主制御部。
【図１】
0003552859.tif 000002
【図２】
0003552859.tif 000003
【図３】
0003552859.tif 000004
【図４】
0003552859.tif 000005
【図５】
0003552859.tif 000006
【図６】
0003552859.tif 000007